(57)【特許請求の範囲】
【請求項１】
ディスクの半径方向にスライドする光ピックアップ本体を支える２本のガイドのうち、一方のガイドが基準ガイドとして上記半径方向と平行に配置されると共に、
他方のガイドは、上記光ピックアップ本体が上記ディスクの半径方向にスライドする位置によって、上記他方のガイドと上記他方のガイドが挿通される上記光ピックアップ本体の軸受け部との接触位置が変化するように、上記基準ガイドに対して所定角度傾けて配置された
ことを特徴とする光ピックアップ装置。
【請求項２】
上記光ピックアップ本体の上記軸受け部の形状が、長孔若しくはコ字状に形成された
ことを特徴とする請求項１記載の光ピックアップ装置。
【請求項３】
上記光ピックアップ本体に、上記他方のガイドに対する上記軸受け部のがたつきを吸収するマグネットを設けた
ことを特徴とする請求項１記載の光ピックアップ装置。
【請求項４】
ディスクの半径方向にスライドする光ピックアップ本体を支える２本のガイドのうち、一方のガイドが基準ガイドとして上記半径方向と平行に配置されると共に、
他方のガイドは、上記光ピックアップ本体が上記ディスクの半径方向にスライドする位置によって、上記他方のガイドと上記他方のガイドが挿通される上記光ピックアップ本体の軸受け部との接触位置が変化するように、上記基準ガイドに対して所定角度傾けて配置された光ピックアップ装置を有する
ことを特徴とする光ディスク装置。
【発明の詳細な説明】
【０００１】
【発明の属する技術分野】
この発明は、ディスク再生装置などに適用して好適な光ピックアップ装置及び光ディスク装置に関する。詳しくは、光ピックアップ本体を支える２本のガイドのうち、一方のガイドを基準ガイドとしたとき、この基準ガイドをディスク半径方向に対して平行に取り付けると共に、他方のガイドをこの基準ガイドに対して傾けて取り付けることによって、この傾斜ガイドが挿通される軸受け部の摩耗を軽減して安定した走行性能が得られるようにしたものである。
【０００２】
【従来の技術】
光磁気ディスク（ＭＯ）やコンパクトディスクＣＤなどの光ディスクに対する信号（データ）の記録再生用としては図７に示すような光ピックアップ装置１０が使用される場合が多い。つまり、同図のようにディスク１２の半径中心１２ａに向かってスライドする光ピックアップ装置１０が設けられている。
【０００３】
この光ピックアップ装置１０は図示するようなほぼ直方体状の本体１８を有する。本体１８内には半導体レーザなどの光源を始めとして、レーザをディスク面に照射し、またディスクより反射したレーザ光を受光素子に入射するための光学系や、レーザをディスク面に結像するための対物レンズ２０などが収納されている。
【０００４】
光ピックアップ本体１８はディスク中心に向かってスライドできるようにするため、この例では一対の棒状ガイド１４，１６が設けられ、一方のガイド、この例では下側のガイド１４が基準ガイドとして機能し、この基準ガイド１４は光ピックアップ本体１８より伸びる一対の丸穴軸受け部２２ａ，２２ｂに挿通されており、他方のガイド１６は１個の丸孔軸受け部２４に挿通され、ディスク１２に対して進退自在となるように構成されている。
【０００５】
光ピックアップ本体１８には図８にも示すようにマグネット２６が取り付けられ、これがガイド１６の頂面に対して非接触状態となるように配置されている。このマグネット２６によって光ピックアップ本体１８をガイド１６側に押し付ける力が付与され、がたつくことがなく安定した走行を実現している。
【０００６】
ガイド１６に対する軸受け部２４の構成としては図９のようなコ字状部構成の軸受け部を使用することもできる。
【０００７】
【発明が解決しようとする課題】
ところで、光ピックアップ本体１８に設けられたマグネット２６によって光ピックアップ本体１８は安定走行を実現できる。しかし、このように光ピックアップ本体１８を下側に押圧する与圧方式を採用すると、以下のような問題を惹起する。
【０００８】
ガイド１６は基準ガイド１４に対し、相当な精度で並行するように装置シャーシ（ハウジング）に取り付け固定されており、一方このガイド１６に対し軸受け部２４は図１０のようにある程度のクリアランスをもって挿通されている。ガイド１６が与圧されることによって図１０のようにガイド１６と軸受け部２４の内面２４ａとは直頂点Ｐで点接触していることになる。したがってガイド１６の長手方向について考察すると、この点接触の軌跡は、図１１直線ＬＰで示すように本体スライド方向に対して極小幅の線接触となる。
【０００９】
光ピックアップ本体１８はマグネット２６によって常時与圧されているので、長い間の使用によって直頂点Ｐがスライド時の線接触によって摩耗し、僅かであるが摺り減り、図１２のような、内面２４ａが削れて線状の凹部２８ができる。そうすると、ごく僅かではあるが光ピックアップ本体１８が斜めに傾き、データの記録再生を良好に行えない場合が生ずる。また、摩耗すると線接触から面接触となって余分な摩擦が発生し、光ピックアップ本体１８の駆動系はそれだけ余分なパワーを必要とするなどと言った問題を惹起する。
【００１０】
そこで、この発明はこのような従来の課題を解決したものであって、光ピックアップ本体１８が与圧されていても軸受け部の摩耗が進行しないように工夫して安定した走行状態を実現した光ピックアップ装置及び光ディスク装置を提案するものである。
【００１１】
【課題を解決するための手段】
上述の課題を解決するため、請求項１に記載したこの発明に係る光ピックアップ装置では、ディスクの半径方向にスライドする光ピックアップ本体を支える２本のガイドのうち、一方のガイドが基準ガイドとして上記半径方向と平行に配置されると共に、他方のガイドは、上記光ピックアップ本体が上記ディスクの半径方向にスライドする位置によって、上記他方のガイドと上記他方のガイドが挿通される上記光ピックアップ本体の軸受け部との接触位置が変化するように、上記基準ガイドに対して所定角度傾けて配置されたことを特徴とする。
【００１２】
この発明では、２本のガイドのうち一方を基準ガイドとしてディスク半径方向と平行に配置する。これに対して他方のガイドは基準ガイドに対して僅かに傾けて取り付ける。そうすると、光ピックアップ本体の停止時は直頂点のみに接触するピンポイント接触となるが、この光ピックアップ本体がスライドすると、この傾斜ガイドと軸受け部内面との接触位置が次第にずれる。そのため、傾斜ガイドが接触する内壁面の幅が広がる。つまり装置の側面側から観ると、光ピックアップ本体がスライドすることによって面接触となる。面接触するとそれだけ接触面積が増えるため、摩耗量が大幅に減少し、従来のような摩耗に伴った凹部が形成されにくくなる。これによって長期間使用しても安定した走行状態を実現できる。
【００１３】
【発明の実施の形態】
続いて、この発明に係る光ピックアップ装置の一実施形態を図面を参照して詳細に説明する。記録媒体としてのディスクとしては光ディスク、コンパクトディスク、ミニディスクなど特にその種類には制限されない。それらの光ピックアップ装置のスライド系は基本的には殆ど同じであると考えられるからである。
【００１４】
図１はこの発明に係る光ピックアップ装置をミニディスクの記録再生装置に適用したときの一実施態様を示す。同図は基本的には図７に示した従来の光ピックアップ装置１０と同様な構成であって、ミニディスク１２の半径方向にスライドする光ピックアップ装置１０が設けられている。光ピックアップ装置１０は進退自在な本体１８を有し、この光ピックアップ本体１８内には従来と同様に光源である半導体レーザやレーザを対物レンズ２０を介してミニディスク１２の盤面まで導く光学系（何れも図示しない）などが搭載されている。
【００１５】
半導体レーザを装置固定側に配し、光ピックアップ本体１８には光学系のみ搭載するようになされたものでもこの発明は適用できる。
【００１６】
光ピックアップ本体１０は金属製の２本の棒状ガイド１４，１７をガイドとしてミニディスク１２側に進退するが、進退させるための駆動手段としてはリニアモータ方式、ラック・ピニオン方式、リード・スクリュウ方式などの周知の手段を利用することができる。この駆動手段に関してはこの発明とは直接関係がないのでその構成および説明は割愛する。
【００１７】
光ピックアップ本体１８を進退させるため、光ピックアップ本体１８には一方のガイド１４が挿通される一対の軸受け部２２ａ、２２ｂが設けられており、他方のガイド１７側にはこのガイドが挿通される１つの軸受け部２３が設けられている。また安定走行のため、本体１８に設けられたマグネット２６によって光ピックアップ本体１８がガイド１７側に与圧されている。
【００１８】
この発明では一方のガイドこの例では下側に位置するガイド１４が基準ガイドとして機能する。この基準ガイド１４はディスク半径中心１２ａに対して平行するように高精度に位置決めされた状態で装置シャーシ（図示はしない）側に取り付け固定されている。
【００１９】
これに対して他方のガイド１７はこの基準ガイド１４に対して傾けた状態で取り付けられる。つまり、通常はガイド１４と１７とは平行するように高精度に位置決めされるものであるが、この発明ではスライド方向に対して故意に傾けて取り付ける。傾ける方向は、２本のガイドが平行に取り付けられた場合に、２本のガイドのそれぞれの中心線により作られる仮想平面上に、他方のガイド（以下、傾斜ガイド）１７の中心線が載るように傾けられる。図１の場合には所定の角度θだけ傾けて装置シャーシに取り付けられている。
【００２０】
傾斜角度θは装置の大きさ（つまりスライド量）によっても相違するが、ガイド長が５０ｍｍで、スライド長（スライド幅）が２０〜２５ｍｍ程度であるときは、０．５ｍｍ程度のずれでよいので、傾斜角度θとしては０度３６分程度となる。この値はあくまで一例である。
【００２１】
そのため、光ピックアップ本体１８に設けられた軸受け部２３は図２に示すようにその内径は長孔２３ｂとして構成されている。丸孔構成とすると、傾斜ガイド１７上を光ピックアップ本体１８がスライドするとき軸受け部２３の内径壁に衝突してスムースな走行が妨げられるため、このように長孔構成としている。長孔２３ｂの横幅（長辺）は傾斜角度θとスライド長によって定められるものであるが、これらによって定められた横幅よりも長ければ任意の長さに選定することができる。また、長孔２３ｂはここに挿通される傾斜ガイド１７の直径とほぼ同じ短辺となされている。
【００２２】
軸受け部２３の構成は、上述した長孔構成だけではなく、図３に示すように側面が解放されたコ字状部２３ｃとして構成することもできる。この場合、コ字状部２３ｃの横幅は図２の長孔２３ｂの長辺の長さと同じにすることができる。
【００２３】
傾斜ガイド１７側の軸受け部２３をこのように構成した場合、光ピックアップ本体１８には図１に示すように与圧用としてマグネット２６が取り付けられているから、マグネット２６の下面２６ａは傾斜ガイド１７に少許の間隙を保持して対向し、これによって光ピックアップ本体１８は常時下方向に押圧された状態にある。そのため、図４に示すように傾斜ガイド１７は長孔２３ｂの頂壁２５と接触した状態で摺動する。
【００２４】
傾斜ガイド１７は図５にも示すようにθだけ傾斜しているので、傾斜ガイド１７の点接触点の軌跡を示す線接触直線ＬＰも基準線ＬＯに対してθなる傾きをもつ。そのため、光ピックアップ本体１８の待機位置（ディスク１２の外径側に本体１８が位置しているとき）にあるとき、図６のように傾斜ガイド１７が最も左側に位置（実線位置）している場合には、傾斜ガイド１７の位置はスライド方向に向かって徐々にずれ、ディスク１２の最内径部に到達したときは最も右側に位置（鎖線位置）することになる。したがって頂壁２５と傾斜ガイド１７との接触点もスライド方向に向かってずれ、図６のような幅Ｗ内を移動することになる。
【００２５】
このようにスライド位置によって頂壁２５と傾斜ガイド１７との接触点が移動するため、傾斜ガイド１７が接触する頂壁２５の接触範囲が広がる。つまり光ピックアップ本体１８がスライドすることによって頂壁２５と傾斜ガイド１７との接触線が移動され、接触範囲は面となる。よって、それだけ頂壁２５の接触面積が増えるため、摩耗量が大幅に減少し、従来のような摩耗に伴った凹部２８が形成されにくくなる。これによって長期間使用しても安定した走行状態を実現できる。つまり光ピックアップ装置１０を長い間使用しても、軸受け部２３の内径の一部が摩耗により変形するような事態には至らない。
【００２６】
そのため、常時安定した走行を実現でき、光ピックアップ装置１０の長寿命化を達成できる。また、従来のように光ピックアップ本体１８が軸受け部２３の摩耗によってディスク盤面に対して僅かに傾き、これによってディスク１２への記録再生特性が劣化するようなおそれもない。
【００２７】
【発明の効果】
以上説明したようにこの発明では２本のガイドのうち、一方を他方のガイドに対して傾けて取り付けるようにしたものである。
【００２８】
こうすることによって、傾けたガイドと軸受け部との接触点がスライド方向に沿って移動する、面接触的な移動になるため、光ピックアップ装置を長い間使用しても、軸受け部の内径の一部が摩耗により変形することはない。そのため、常時安定した走行を実現でき、光ピックアップ装置の長寿命化を達成できる。
【００２９】
もちろん、軸受け部の摩耗によって光ピックアップ本体がディスク盤面に対して僅かに傾き、これによってディスクへの記録再生特性が劣化するようなおそれもない。
【００３０】
したがってこの発明は光ディスク、ミニディスク、コンパクトディスクなどディスク状記録媒体を使用した再生装置や記録再生装置などに適用して極めて好適である。
【図面の簡単な説明】
【図１】この発明に係る光ピックアップ装置の一実施形態を示す要部の構成図（平面図）である。
【図２】その側面図である。
【図３】軸受け部を変更した図２と同様な側面図である。
【図４】軸受け部の拡大図である。
【図５】傾斜ガイドの接触軌跡を示す図である。
【図６】その一部拡大側面図である。
【図７】従来の光ピックアップ装置の一実施形態を示す要部の平面図である。
【図８】その側面図である。
【図９】軸受け部を変更した図８と同様な側面図である。
【図１０】軸受け部の拡大図である。
【図１１】傾斜ガイドの接触軌跡を示す図である。
【図１２】その一部拡大側面図である。
【符号の説明】
１０  光ピックアップ装置
１２  ディスク
１４  基準ガイド
１７  傾斜ガイド
２２ａ，２２ｂ，２３，２４  軸受け部
２４ｂ  長孔
２４ｃ  コ字状部
２５  頂壁
【図１】
0003755243.tif 000002
【図２】
0003755243.tif 000003
【図３】
0003755243.tif 000004
【図４】
0003755243.tif 000005
【図５】
0003755243.tif 000006
【図６】
0003755243.tif 000007
【図７】
0003755243.tif 000008
【図８】
0003755243.tif 000009
【図９】
0003755243.tif 000010
【図１０】
0003755243.tif 000011
【図１１】
0003755243.tif 000012
【図１２】
0003755243.tif 000013